(57)【特許請求の範囲】
【請求項１】
底壁と、該底壁から立設された側壁とから有底箱状に形成されたボックス本体を備えるとともに、螺子部と頭部とからなり、前記螺子部の先端部は先端に向かうに従い尖るように形成された固定ビスを貫通させる固定用貫通孔が前記側壁に形成され、前記ボックス本体内から前記固定用貫通孔に挿通された前記固定ビスを造営材に強制的に螺入することにより前記造営材に固定される合成樹脂製の配線ボックスであって、
前記底壁には前記固定ビスを立てた状態に保持するビス保持手段が設けられており、
前記ビス保持手段が、
前記固定ビスの強制的な螺入が可能な前記底壁から立設されたビス螺入部と、
前記ビス螺入部よりも前記固定ビスの螺入方向奥側に位置するとともに前記固定ビスの先端部より大径に形成されて前記固定ビスの先端部が強制螺入されることなく配置されるビス配置空間と、
前記固定ビスの螺子部が前記ビス螺入部に強制螺入された前記固定ビスを前記ビス螺入部に対し傾動させる際に前記固定ビスの先端部が干渉することなく通過可能に逃がすため、前記ビス螺入部の立設方向に切り欠いて形成されたビス逃げ部と、を有する配線ボックス。
【請求項２】
前記ビス配置空間は前記底壁を貫通して形成され、さらに、前記底壁には前記ビス配置空間及びビス逃げ部に連通し、傾動する固定ビスの先端部を通過させるビス通過部が形成されている請求項１に記載の配線ボックス。
【請求項３】
前記ビス保持手段は、前記底壁における前記側壁の内面近傍に設けられている請求項１又は請求項２に記載の配線ボックス。
【請求項４】
前記ビス逃げ部は、前記ビス螺入部における前記側壁に対向する位置に形成され、前記固定ビスは前記側壁から離れる側に向けて傾動可能にビス保持手段に保持されている請求項１〜請求項３のうちいずれか一項に記載の配線ボックス。
【発明の詳細な説明】
【技術分野】
【０００１】
本発明は、ボックス本体内から固定用貫通孔に挿通された固定ビスを造営材に強制的に螺入することにより造営材に固定される配線ボックスに関する。
【背景技術】
【０００２】
建築物における軽量間仕切壁は、軽量形鋼材を立設するとともに軽量形鋼材を挟むようにして壁材（例えば石膏ボード）を立設することで構築される。この軽量間仕切壁に配線器具を設置するため、軽量間仕切壁内には一面に開口する有底四角箱状の配線ボックスが設置される。この配線ボックスは、側壁に形成された貫通孔に挿通された固定ビスを軽量形鋼材に強制的に螺入することにより軽量形鋼材に固定されている。
【０００３】
このような配線ボックスにおいて、配線ボックスの軽量形鋼材への固定作業効率を向上させるため、固定ビスは側壁に形成されたビス保持手段に保持されて配線ボックスに予め装着されている（例えば、特許文献１参照）。特許文献１のビス保持手段（ねじ挟持部）は、配線ボックスの貫通孔に形成されている。すなわち、特許文献１のビス保持手段は、貫通孔の一端を固定ビスの螺子部における直径より短くすることで形成され、貫通孔に固定ビスの螺子部を圧入することで固定ビスが配線ボックスに装着されている。そして、特許文献１の配線ボックスを軽量形鋼材に固定する作業は、ビス保持手段に保持された固定ビスをそのまま軽量形鋼材に螺入することで行われ、結果として配線ボックスの軽量形鋼材への固定作業効率が向上する。
【０００４】
しかし、特許文献１の配線ボックスにおいて、ビス保持手段に固定ビスが保持された状態では、固定ビスが貫通孔を形成する側壁に直接螺着されている。このため、固定ビスを軽量形鋼材に螺入する際、固定ビスの回転と共に配線ボックスも回転してしまい、配線ボックスを手で押さえながら固定ビスの軽量形鋼材への螺入を行わなければならず、非常に面倒であった。そこで、固定ビスを配線ボックスの側壁ではなく、底壁に保持させた配線ボックスが提案されている（例えば、特許文献２参照）。
【０００５】
特許文献２の配線ボックス（配線器具ボックス）は底壁に固定ビスの保持手段が設けられている。保持手段は、底壁から立設された支柱と、底壁から離間するように支柱の先端から延設された保持部とからなる。保持部には固定ビスが貫通可能な穴が形成されるとともに、保持部における支柱と反対側は薄肉部となっている。固定ビスが保持部の穴に差し込まれると固定ビスが保持部に保持されるとともに、固定ビスが保持手段によって配線器具ボックスに装着される。そして、特許文献２の配線ボックスを軽量形鋼材に固定する際に、固定ビスは保持部から取り外され、固定ビスを軽量形鋼材に螺入する際、固定ビスの回転と共に配線ボックスが回転することが回避される。
【先行技術文献】
【特許文献】
【０００６】
【特許文献１】実開昭５４−１０７０９９号公報
【特許文献２】実開昭６２−１７７２２４号公報
【発明の概要】
【発明が解決しようとする課題】
【０００７】
ところが、特許文献２において、保持部から固定ビスが脱落するのを防止するため、固定ビスは保持部に強制的に圧入されている。このため、保持部に圧入された固定ビスを保持部から取り外すには、固定ビスによって薄肉部を破断する必要があり、固定ビスを保持手段から取り外す作業が非常に大変であるという問題があった。
【０００８】
本発明は、上記問題点を解決するためになされたものであって、その目的は、ビス保持手段によって固定ビスを底壁に強固に保持することができるとともにビス保持手段からの固定ビスの取り外しを簡単に行うことができる配線ボックスを提供することにある。
【課題を解決するための手段】
【０００９】
上記問題点を解決するために、請求項１に記載の発明は、底壁と、該底壁から立設された側壁とから有底箱状に形成されたボックス本体を備えるとともに、螺子部と頭部とからなり、前記螺子部の先端部は先端に向かうに従い尖るように形成された固定ビスを貫通させる固定用貫通孔が前記側壁に形成され、前記ボックス本体内から前記固定用貫通孔に挿通された前記固定ビスを造営材に強制的に螺入することにより前記造営材に固定される合成樹脂製の配線ボックスであって、前記底壁には前記固定ビスを立てた状態に保持するビス保持手段が設けられており、前記ビス保持手段が、前記固定ビスの強制的な螺入が可能な前記底壁から立設されたビス螺入部と、前記ビス螺入部よりも前記固定ビスの螺入方向奥側に位置するとともに前記固定ビスの先端部より大径に形成されて前記固定ビスの先端部が強制螺入されることなく配置されるビス配置空間と、前記固定ビスの螺子部が前記ビス螺入部に強制螺入された前記固定ビスを前記ビス螺入部に対し傾動させる際に前記固定ビスの先端部が干渉することなく通過可能に逃がすため、前記ビス螺入部の立設方向に切り欠いて形成されたビス逃げ部と、を有することを要旨とする。
【００１０】
請求項２に記載の発明は、請求項１に記載の配線ボックスにおいて、前記ビス配置空間は前記底壁を貫通して形成され、さらに、前記底壁には前記ビス配置空間及びビス逃げ部に連通し、傾動する固定ビスの先端部を通過させるビス通過部が形成されていることを要旨とする。
【００１１】
請求項３に記載の発明は、請求項１又は請求項２に記載の配線ボックスにおいて、前記ビス保持手段は、前記底壁における前記側壁の内面近傍に設けられていることを要旨とする。
【００１２】
請求項４に記載の発明は、請求項１〜請求項３のうちいずれか一項に記載の配線ボックスにおいて、前記ビス逃げ部は、前記ビス螺入部における前記側壁に対向する位置に形成され、前記固定ビスは前記側壁から離れる側に向けて傾動可能にビス保持手段に保持されていることを要旨とする。
【発明の効果】
【００１３】
本発明によれば、ビス保持手段によって固定ビスを底壁に強固に保持することができるとともにビス保持手段からの固定ビスの取り外しを簡単に行うことができる。
【図面の簡単な説明】
【００１４】
【図１】配線ボックス及び軽量形鋼材を示す斜視図。
【図２】ビス保持手段を拡大して示す部分斜視図。
【図３】（ａ）はビス保持手段を示す平面図、（ｂ）はビス保持手段を示す図３（ａ）の３ｂ−３ｂ線断面図。
【図４】（ａ）はビス保持手段に固定ビスを保持させた状態を示す部分断面図、（ｂ）は固定ビスを当接段部を支点として傾動させた状態を示す部分断面図、（ｃ）はさらに固定ビスを傾動させた状態を示す部分断面図。
【図５】固定ビスの先端部がビス逃げ部を通過する状態を示す部分正面図。
【図６】配線ボックスを軽量形鋼材に固定する状態を示す側断面図。
【発明を実施するための形態】
【００１５】
以下、本発明を具体化した一実施形態を図１〜図６にしたがって説明する。以下の説明において配線ボックス及び軽量形鋼材の「上」「下」は、図１に示す矢印Ｙ１の方向を上下方向とし、「左」「右」は、図１に示す矢印Ｙ２の方向を左右方向とする。
【００１６】
図１に示すように、配線ボックス１０は軽量間仕切壁（図示せず）に配線器具（図示せず）を設置するため、軽量間仕切壁を形成する造営材としての軽量形鋼材Ｐに固定されるものである。なお、軽量形鋼材Ｐは、薄鋼板からなり、軽量形鋼材Ｐの立設方向に対して直交する方向への平断面視が略Ｃ字状をなすＣ型鋼である。軽量形鋼材Ｐは、立設方向に延びる開口部Ｐａと、開口部Ｐａに相対向する背面板部Ｐｂと、背面板部Ｐｂを挟む一対の側板部Ｐｃとからなる。また、開口部Ｐａは、一対の側板部Ｐｃから延設された相対向する一対のリップ部Ｐｄの間に形成されている。
【００１７】
配線ボックス１０は合成樹脂材料よりなり、一面に開口する有底四角箱状に形成されたボックス本体１１を備えている。ボックス本体１１は、四角板状をなす底壁１２と、底壁１２の周縁から立設された側壁としての上側壁１３、下側壁１４、左側壁１５、及び右側壁１６とから形成されている。左側壁１５の内面には、左側壁１５の外面側に向けて凹むとともに細長に延びる凹部１５ｂが、左側壁１５の上下方向に間隔をおいて３つ形成されている。
【００１８】
左側壁１５において、各凹部１５ｂそれぞれには、半円孔状をなすとともに左側壁１５を厚み方向に貫通する固定用貫通孔１５ａが形成されている。左側壁１５の上部に形成された凹部１５ｂには固定用貫通孔１５ａが１つ、中央部に形成された凹部１５ｂには固定用貫通孔１５ａが２つ、下部に形成された凹部１５ｂには固定用貫通孔１５ａが１つ形成されている。
【００１９】
各固定用貫通孔１５ａは、配線ボックス１０を軽量形鋼材Ｐに固定するための固定ビス２０が挿通可能に形成されている。なお、図４（ａ）に示すように、固定ビス２０は、螺子部２１と頭部２２とからなり、螺子部２１の先端部２１ａは、螺子部２１から先端に向かうに従い尖るように形成されている。よって、固定ビス２０において、先端部２１ａの直径は螺子部２１の直径より小さくなっている。図１に示すように、各固定用貫通孔１５ａは固定ビス２０の螺子部２１の直径よりも大きく形成されている。また、左側壁１５の上下方向における中央部には把持部２３が左側壁１５から外方へ向けて突設されている。
【００２０】
底壁１２において、左側壁１５の内面近傍であって、上下両側の凹部１５ｂと対向する位置それぞれにはビス保持手段３０が設けられている。ビス保持手段３０は、ビス保持手段３０に保持された固定ビス２０の頭部２２と、凹部１５ｂとの間に指の先端を挿入し、頭部２２に指の先端を引っ掛けることができるような隙間が形成されるように左側壁１５の内面近傍に設けられている。
【００２１】
図２に示すように、ビス保持手段３０は、底壁１２から立設された略円筒状をなすビス螺入部３１を有する。図３（ｂ）に示すように、ビス螺入部３１には、ビス螺入部３１を立設方向に貫通し、かつ底壁１２を厚み方向に貫通する螺入孔３１ａが形成されている。螺入孔３１ａの口径は、固定ビス２０における螺子部２１の直径より僅かに小さく、先端部２１ａの直径より大きくなっている。そして、図４（ａ）に示すように、固定ビス２０の螺子部２１が螺入孔３１ａに強制的にねじ込まれると、螺入孔３１ａを形成するビス螺入部３１の内面に螺子部２１がねじ込まれるとともにビス螺入部３１に固定ビス２０を立てた状態に保持できるようになっている。
【００２２】
固定ビス２０の先端部２１ａが底壁１２から突出しないようにビス螺入部３１に固定ビス２０を螺入させたとき、固定ビス２０の先端部２１ａは、底壁１２に形成された螺入孔３１ａ内に位置している。螺入孔３１ａの口径は、先端部２１ａより大きいため、先端部２１ａは螺入孔３１ａを形成する底壁１２に接触することなく螺入孔３１ａ内に配置される。よって、本実施形態では、ビス螺入部３１への固定ビス２０の螺入方向より奥側となる位置、すなわち螺入孔３１ａの底壁１２側がビス配置空間となっている。
【００２３】
図２、図３（ａ）、及び図３（ｂ）に示すように、ビス螺入部３１の左側壁１５側には、細溝状のビス逃げ部３２がビス螺入部３１を立設方向に切り欠いて形成されるとともに、ビス逃げ部３２は螺入孔３１ａに連通するように形成されている。ビス逃げ部３２は、ビス螺入部３１の先端から基端、すなわちビス螺入部３１の先端から底壁１２に達するまでを切り欠いて形成されている。ビス螺入部３１の周方向に沿ったビス逃げ部３２の開口幅は、固定ビス２０の先端部２１ａにおける直径より大きくなっている。このため、ビス螺入部３１に保持された固定ビス２０を傾動させた際には、固定ビス２０の先端部２１ａはビス逃げ部３２を通過できるようになっている。
【００２４】
また、ビス螺入部３１において、ビス逃げ部３２の反対側（ボックス本体１１の内方側）には細溝状の傾動用凹部３３がビス螺入部３１を立設方向に切り欠いて形成されるとともに、傾動用凹部３３は螺入孔３１ａに連通するように形成されている。傾動用凹部３３は、ビス螺入部３１の先端から基端の直前までビス螺入部３１を切り欠いて形成され、傾動用凹部３３の内底面には、固定ビス２０の傾動の際に、螺子部２１が当接する当接段部３３ａが形成されている。ビス螺入部３１の周方向に沿った傾動用凹部３３の開口幅は、固定ビス２０における螺子部２１の直径より僅かに小さくなっている。
【００２５】
図３（ｂ）に示すように、底壁１２において、螺入孔３１ａよりも左側壁１５側には、細長に延びるビス通過部３５が底壁１２を厚み方向に貫通して形成されている。そして、ビス通過部３５はビス逃げ部３２に連通するとともに螺入孔３１ａ（ビス配置空間）に連通するように形成されている。ビス螺入部３１の周方向に沿ったビス通過部３５の開口幅は、固定ビス２０における先端部２１ａの直径より僅かに大きくなっている。このため、固定ビス２０の先端部２１ａはビス通過部３５を通過可能になっている。そして、ビス保持手段３０は、ビス逃げ部３２及び傾動用凹部３３を有するビス螺入部３１を有するとともに、螺入孔３１ａよりなるビス配置空間及びビス通過部３５を有している。
【００２６】
さて、図４（ａ）に示すように、ビス保持手段３０に固定ビス２０を保持させるには、螺子部２１を螺入孔３１ａにねじ込む。すると、螺子部２１が螺入孔３１ａを形成するビス螺入部３１の内面に螺入される。このとき、固定ビス２０の先端部２１ａが底壁１２の下面から突出しない位置まで螺子部２１が螺入される。すると、螺子部２１がビス螺入部３１によって保持されるとともに先端部２１ａが螺入孔３１ａ（ビス配置空間）に配置される。螺入孔３１ａ（ビス配置空間）内に配置された先端部２１ａは、ビス螺入部３１によって保持されていない。ビス保持手段３０に保持された固定ビス２０は、頭部２２がボックス本体１１の開口側に臨むとともに左側壁１５の内面に沿うように底壁１２から立ち上がった状態になっている。さらに、頭部２２と凹部１５ｂとの間には、僅かな隙間が形成されている。
【００２７】
ビス保持手段３０に保持された固定ビス２０を取り外すには、まず、頭部２２と凹部１５ｂとの間に指を入れ、指の先端を頭部２２に引っ掛けて固定ビス２０を左側壁１５から離れる側に向けて押圧する。すると、図４（ｂ）に示すように、螺子部２１が傾動用凹部３３内に圧入され、螺子部２１によってビス螺入部３１が押し広げられるとともに、ビス逃げ部３２も押し広げられる。さらに、螺子部２１が当接段部３３ａに当接すると、固定ビス２０は当接段部３３ａを支点として傾動する。
【００２８】
そして、図４（ｃ）及び図５に示すように、固定ビス２０が傾動すると、固定ビス２０の先端部２１ａは螺入孔３１ａ（ビス配置空間）からビス通過部３５を通過し、さらに、ビス逃げ部３２を通過していく。このため、固定ビス２０の傾動の際に、先端部２１ａが底壁１２やビス螺入部３１に干渉することが防止される。そして、先端部２１ａがビス逃げ部３２を通過すると、固定ビス２０をビス螺入部３１から取り外すことができる。
【００２９】
その後、図６に示すように、配線ボックス１０の左側壁１５外面を軽量形鋼材Ｐのリップ部Ｐｄに当接させながら、固定ビス２０を固定用貫通孔１５ａに挿通してリップ部Ｐｄに強制的に螺入する。このとき、固定用貫通孔１５ａは固定ビス２０の螺子部２１の直径より大きいため、固定ビス２０の回転と共に配線ボックス１０が回転することが防止される。そして、固定ビス２０がリップ部Ｐｄに螺入されると、配線ボックス１０が軽量形鋼材Ｐに固定される。
【００３０】
上記実施形態によれば、以下のような効果を得ることができる。
（１）底壁１２に設けられたビス保持手段３０は、固定ビス２０が強制的に螺入されるビス螺入部３１を有し、固定ビス２０をビス螺入部３１に螺着することができるため、ビス保持手段３０によって底壁１２に固定ビス２０を強固に保持することができる。よって、配線ボックス１０が振動を受けたりしても固定ビス２０がビス保持手段３０から脱落することを防止することができる。また、ビス保持手段３０において、ビス螺入部３１には、固定ビス２０を傾動させた際に固定ビス２０の先端部２１ａを通過させるためのビス逃げ部３２が形成されている。このため、ビス螺入部３１が固定ビス２０傾動の障害となることがなく、固定ビス２０を容易に傾動させることができ、ビス保持手段３０からの固定ビス２０の取り外しを簡単に行うことができる。
【００３１】
（２）ビス保持手段３０は底壁１２に設けられ、ビス保持手段３０により固定ビス２０を底壁１２から立てた状態に保持することができる。よって、固定ビス２０は、頭部２２がボックス本体１１の開口側に向けた状態でビス保持手段３０に保持され、固定ビス２０を容易に摘むことができる。その結果として、例えば、固定ビス２０の軸方向が底壁１２に沿うように固定ビス２０が配線ボックス１０に保持されている場合に比して、配線ボックス１０に装着された固定ビス２０を容易に取り外すことができ、固定ビス２０を用いた配線ボックス１０の固定作業を速やかに行うことができる。
【００３２】
（３）ビス保持手段３０が底壁１２に設けられているため、固定用貫通孔１５ａに固定ビス２０を保持させる必要が無くなる。よって、固定用貫通孔１５ａを螺子部２１の直径より大きくすることができ、配線ボックス１０を軽量形鋼材Ｐに固定する際、固定ビス２０の回転と共に配線ボックス１０が回転することを防止することができる。その結果として、配線ボックス１０の回転を防止するため、手で配線ボックス１０を抑える必要がなくなる。
【００３３】
（４）ビス保持手段３０は、固定ビス２０の保持のために螺子部２１が強制的に螺入されるビス螺入部３１を有する。そして、固定ビス２０を回転させることによって固定ビス２０はビス螺入部３１を螺進していくため、固定ビス２０のビス螺入部３１に対する入り込み量を微調節することができる。よって、固定ビス２０をビス保持手段３０に保持させる際、固定ビス２０の先端部２１ａが底壁１２から突出しないようにする作業を容易に行うことができる。
【００３４】
（５）螺入孔３１ａはビス螺入部３１から底壁１２を貫通するように形成され、底壁１２に形成された螺入孔３１ａ（ビス配置空間）内には固定ビス２０の先端部２１ａが配置される。すなわち、底壁１２の厚み分を利用して固定ビス２０を保持することができる。よって、ビス保持手段３０に保持された固定ビス２０の、ボックス本体１１内に向けた底壁１２からの突出量を小さくすることができる。そして、底壁１２には螺入孔３１ａに連通するようにビス通過部３５が形成されているため、固定ビス２０の傾動の際に底壁１２が障害となることがなく、固定ビス２０を容易に傾動させることができる。
【００３５】
（６）ビス保持手段３０は左側壁１５の内面近傍に設けられている。このため、ビス保持手段３０に保持された固定ビス２０は、左側壁１５に向けて傾動させにくくなる。すなわち、頭部２２が左側壁１５に向かうことで固定ビス２０を摘みにくくなる方向へ固定ビス２０を傾動させにくくなる。よって、ビス保持手段３０を左側壁１５の内面近傍に設けることで、頭部２２を摘みやすい方向へ固定ビス２０が傾動させられるようにすることができる。
【００３６】
（７）左側壁１５の内面近傍に設けられビス保持手段３０において、ビス逃げ部３２が左側壁１５側に形成されている。このため、ビス保持手段３０に保持された固定ビス２０は、左側壁１５から離れるようにボックス本体１１の内方に向けて傾動させられ、傾動させた固定ビス２０の頭部２２をボックス本体１１内の広い空間に配置させることができる。その結果として、傾動させた固定ビス２０の頭部２２を容易に摘むことができる。
【００３７】
（８）ビス螺入部３１には、固定ビス２０の傾動の際に螺子部２１が圧入される傾動用凹部３３が凹設されている。そして、傾動用凹部３３に固定ビス２０の螺子部２１が圧入されると、ビス螺入部３１が押し広げられるとともにビス逃げ部３２も広げられる。よって、ビス逃げ部３２の開口幅が広がり、固定ビス２０の先端部２１ａがビス逃げ部３２に干渉することを確実に防止することができ、固定ビス２０の傾動を容易に行うことができる。
【００３８】
（９）ビス螺入部３１には、固定ビス２０の傾動の際に螺子部２１が圧入される傾動用凹部３３が凹設されている。このため、固定ビス２０を傾動させ、先端部２１ａがビス逃げ部３２を通過した後も、螺子部２１は傾動用凹部３３内に圧入されている。よって、固定ビス２０の傾動をビス螺入部３１に保持させたまま行うことができ、固定ビス２０の傾動の際に、固定ビス２０がビス螺入部３１から脱落しにくくすることができる。
【００３９】
（１０）ビス螺入部３１には、固定ビス２０の傾動の際に螺子部２１が圧入される傾動用凹部３３が凹設されるとともに、傾動用凹部３３の内底面に当接段部３３ａが形成されている。そして、固定ビス２０の傾動の際、固定ビス２０は当接段部３３ａを支点として傾動する。このため、例えば、固定ビス２０がビス螺入部３１の先端を支点として傾動する場合に比して、固定ビス２０の先端部２１ａ側の傾動範囲を狭くすることができる。よって、底壁１２に形成するビス通過部３５の長さを短くすることができる。
【００４０】
（１１）ビス保持手段３０は、固定ビス２０が強制的に螺入されるビス螺入部３１を有し、固定ビス２０をビス螺入部３１に螺着することで固定ビス２０を強固に保持できる。そして、ビス保持手段３０にビス逃げ部３２を形成することにより、ビス保持手段３０に保持された固定ビス２０を傾動させ、ビス保持手段３０から固定ビス２０を取りは外ことができる。したがって、固定ビス２０をビス螺入部３１から螺退させてビス保持手段３０から取り外す場合に比して、固定ビス２０の取り外しを容易に行うことができる。
【００４１】
なお、上記実施形態は以下のように変更してもよい。
○  実施形態では、頭部２２と凹部１５ｂとの間に指を入れ、指の先端を頭部２２に引っ掛けて固定ビス２０を傾動させたが、左側壁１５に凹部１５ｂが形成されていない配線ボックス１０においては、頭部２２に指の先端を載せた状態で固定ビス２０を傾動させてもよい。
【００４２】
○  ビス螺入部３１の傾動用凹部３３は無くてもよい。この場合、固定ビス２０はビス螺入部３１の先端を支点として傾動する。
○  ビス逃げ部３２をビス螺入部３１における上側壁１３側や下側壁１４側に切り欠き形成するとともにそれらビス逃げ部３２に連通するようにビス通過部３５を底壁１２における上側壁１３側や下側壁１４側に形成する。そして、固定ビス２０を上側壁１３や下側壁１４に向けて傾動させるようにしてもよい。
【００４３】
○  ビス保持手段３０を、底壁１２の中央部に設けてもよい。また、底壁１２において、ビス保持手段３０に保持された固定ビス２０を傾動させた際、頭部２２が各側壁１３〜１６に接触しない位置にビス保持手段３０を設けてもよい。
【００４４】
○  ビス保持手段３０を、底壁１２における上側壁１３、下側壁１４、又は右側壁１６の内面近傍に設けてもよい。
○  底壁１２を貫通するまで螺入孔３１ａを形成せず、ビス螺入部３１内のみに螺入孔３１ａを形成し、さらに、底壁１２にビス通過部３５を、ビス螺入部３１に傾動用凹部３３を形成しなくてもよい。この場合、ビス螺入部３１の螺入孔３１ａ内にビス配置空間が設けられる。
【００４５】
○  造営材として木柱に本実施形態の配線ボックス１０を固定してもよい。
【符号の説明】
【００４６】
Ｐ…造営材としての軽量形鋼材、１０…配線ボックス、１１…ボックス本体、１２…底壁、１３…側壁としての上側壁、１４…側壁としての下側壁、１５…側壁としての左側壁、１５ａ…固定用貫通孔、１６…側壁としての右側壁、２０…固定ビス、２１…螺子部、２１ａ…先端部、３０…ビス保持手段、３１…ビス螺入部、３１ａ…ビス配置空間としての螺入孔、３２…ビス逃げ部、３３…傾動用凹部、３５…ビス通過部。
【図１】
0005166628.tif 000002
【図２】
0005166628.tif 000003
【図３】
0005166628.tif 000004
【図４】
0005166628.tif 000005
【図５】
0005166628.tif 000006
【図６】
0005166628.tif 000007